(57)【要約】      （修正有）【課題】ホッチキス等の金属締結具を使用しないで確実に台紙と固定する事が出来、ブリスターと台紙の組み立て作業も楽であり、上下方向のガタツキも全く生じ無く、更にリサイクル性の良いパッケージの提供。【解決手段】本発明のブリスターの台紙固定構造は、ブリスター２の上下方向の一方に向かって形成した爪部５を有し、台紙１は前記ブリスター２の上記爪部５を挿入する切り込み部６、若しくは孔部１０を形成し、更に前記切り込み部６、若しくは孔部１０は前記爪部５の基部との突き当て部１１を有すると共に、上下方向が前記突き当て部１１の位置で、横方向が前記切り込み部６、若しくは孔部１０の左右端部の位置を基点とした爪部５への接線と水平線との成す角度が４５度よりも小さい事を特徴とする。【選択図】図１
2006225006.tif 000002
【特許請求の範囲】
【請求項１】
台紙と、前記台紙に被せて前記台紙との間に商品を保持するためのブリスターより成り、前記ブリスターは左右両側部に形成した前記台紙の幅と同一若しくは台紙の幅よりも大きい内寸法の左右の折り返し部と、上下方向の一方の端部に形成した台紙の一方の方向への移動を規制する一方の折り返し部と、上下方向の一方に向かって形成した爪部を有し、前記台紙は前記ブリスターの爪部を挿入する切り込み部、若しくは孔部を形成し、更に前記切り込み部、若しくは孔部は前記爪部の基部との突き当て部を有すると共に、台紙を前記一方の折り返し部に当接させた状態において、上下方向が前記突き当て部の位置で、横方向が前記切り込み部、若しくは孔部の左右端部の位置を基点とした爪部への接線と水平線との成す角度が４５度よりも小さい事を特徴とするブリスターの台紙固定構造。
【請求項２】
台紙と、前記台紙に被せて前記台紙との間に商品を保持するためのブリスターより成り、前記ブリスターは、左右両側部に形成した前記台紙の幅と同一若しくは台紙の幅よりも大きい内寸法の左右の折り返し部と、上下方向の一方に形成した上下方向の一方に向かって形成した第1爪部と、上下方向の他方に向かって形成した第２爪部を有し、前記台紙は、前記ブリスターの第1爪部挿入する第１切り込み部、若しくは第１孔部と、前記ブリスターの第２爪部を挿入する第２切り込み部、若しくは第２孔部を有し、更に前記第１切り込み部、若しくは第１孔部は前記第１爪部の基部との第１突き当て部を有し、前記第２切り込み部、若しくは第２孔部は前記第２爪部の基部との第２突き当て部を有すると共に、台紙の前記第１突き当て部と、ブリスターの前記第１爪部の基部を突き当てた状態において、上下方向が前記第２突き当て部の位置で、横方向が前記第２切り込み部、若しくは第２孔部の左右端部の位置を基点とした第２爪部への接線と水平線との成す角度が４５度よりも小さい事を特徴とするブリスターの台紙固定構造。
【請求項３】
前記台紙は上部若しくは下部の何れか一方の端部に値札等の貼り付け部を有し、前記ブリスターは前記台紙の一方の端部に設けた値札等の貼り付け部に対向する位置にカット部を形成すると共に、前記カット部に前記第２爪部を形成した事を特徴とする請求項１または２記載のブリスターの台紙固定構造。
【発明の詳細な説明】
【技術分野】
【０００１】
本発明は台紙と、前記台紙に被せて前記台紙との間に商品を保持するためのブリスターとの固定構造に関するものである。
【背景技術】
【０００２】
従来技術１においては、図１５に示すように、ブリスター２の左右両側及び上下方向の何れか一方に折り返し部30を設け、前記ブリスター２の他方より台紙１を挿入した後に、ホッチキス等３１で、ブリスター２と台紙１を固定する構造が知られている。
【０００３】
又、従来技術２においては、図１６、図１７に示すように、ブリスター２の左右両側及び下方向に折り返し部３０を設け、前記ブリスター２の他方より台紙１を挿入する構造において、更にブリスターの上方に、先端部を下方に向けた爪３２を形成し、前記台紙１に前記爪３２と嵌合する孔３３を設けた構造が知られている。
【０００４】
又、従来技術３においては、図１８に示すように、ブリスター２の左右両側及び下方向に折り返し部３０を設け、前記ブリスター２の他方より台紙１を挿入する構造において、更にブリスター２の上方に、先端部を上方に向けた爪３４を形成し、前記爪３４は付け根部３５よりも幅が広い段差部３６を設け、前記台紙１には前記爪３４と係合する、前記段差部３６の幅よりも幅の狭い孔３７を設けた構造が知られている。
【０００５】
又、従来技術４においては、図１９に示すように、ブリスター２の左右両側及び下方向に折り返し部３を設け、前記ブリスター２の他方より台紙１を挿入する構造において、更にブリスター２の上方に、台紙１の厚みよりも数mm大きい高さを有する三角柱状の突起３８を形成し、前記台紙１に前記突起３８と嵌合する孔３９を設けた構造が知られている。
【０００６】
又、従来技術５においては、図２０に示すように、台紙１に値札等の貼り付け部２１を設け、ブリスター２は前記台紙１の値札等の貼り付け部２１に対向する位置にカット部２２を設ける構造が知られている。
【特許文献１】特開２００１−３０１８２３号
【特許文献２】特開２００５−２２７４７号
【発明の開示】
【発明が解決しようとする課題】
【０００７】
従来技術１においては、組み立て工程において、ホッチキス作業が必要になり、更に収納した商品を修理等で取り出す場合す際の作業性が悪い上、再度商品を収納してホッキス止めした際には、ホッキスの止め位置のズレにより、最初のホッチキス工程により開いた穴が見えてしまう不具合があった。又、台紙とブリスターより成る包装容器を分別回収してリサイクルする際にも、作業性が非常に悪く問題があった。
【０００８】
従来技術２は、上記従来技術１の問題を解決した物であるが、ブリスターに設けた爪の基部と突き当たる台紙の孔の突当位置が異なるため、台紙に対してブリスターの位置が下方に移動してしまい、商品展示時に見た目が悪く、又、上記、ガタツキが生ずる構造にも係わらず、ブリスターの上部に折り返し部が無いため、上部においては台紙に対してブリスターが容易に浮き上がり、パッケージ内の商品及び付属品が落下する恐れがあった。
【０００９】
従来技術３は、従来技術２と同様に上記従来技術１の問題を解決した物であるが、ブリスターの下方へのズレを防止する手段が、ブリスターの上方に形成した爪の段差部と、台紙に形成した孔との係合のみで構成されているため、ブリスターに外力が加わった時や、商品の自重により、前記段差部と、前記孔の係合状態が解除されてしまう恐れがあり、更に、前記爪を前記孔に挿入する際には、少なからず前記孔が押し広げられ、又、前記段差部の寸法を前記孔に対して相対的に大きくした場合には、著しく組み立て性が悪化し、最悪の場合には前記爪の挿入時に前記孔が切れてしまう場合があった。
【００１０】
又、従来技術４においても、従来技術２と同様に上記従来技術１の問題を解決した物であり、又、台紙に対するブリスターの下方向への移動を制御する効果があるが、ブリスターの上部に折り返し部が無いため、上部においては台紙に対してブリスターが容易に浮き上がり、パッケージ内の商品及び付属品が落下する恐れがあった。
【００１１】
又、従来技術５は、本件特許出願人が出願した発明であり、値札シールなどの紙製シールを台紙に直接貼り付け可能な構造が開示されているが、この従来技術５は、台紙と、ブリスターの分別が容易に出来る必要があり、又、ホッチキスのような金属締結具を使用しない事が望ましいため、本発明に応用し、更にリサイクル性を高める必要がある。
【００１２】
本発明は、上記のような欠点を除くようにしたものである。
【課題を解決するための手段】
【００１３】
本発明のブリスターの台紙固定構造は、台紙と、前記台紙に被せて前記台紙との間に商品を保持するためのブリスターより成り、前記ブリスターは左右両側部に形成した前記台紙の幅と同一若しくは台紙の幅よりも大きい内寸法の左右の折り返し部と、上下方向の一方の端部に形成した台紙の一方の方向への移動を規制する一方の折り返し部と、上下方向の一方に向かって形成した爪部を有し、前記台紙は前記ブリスターの爪部を挿入する切り込み部、若しくは孔部を形成し、更に前記切り込み部、若しくは孔部は前記爪部の基部との突き当て部を有すると共に、台紙を前記一方の折り返し部に当接させた状態において、上下方向が前記突き当て部の位置で、横方向が前記切り込み部、若しくは孔部の左右端部の位置を基点とした爪部への接線と水平線との成す角度が４５度よりも小さい事を特徴とする。
【００１４】
又、本発明のブリスターの台紙固定構造は、台紙と、前記台紙に被せて前記台紙との間に商品を保持するためのブリスターより成り、前記ブリスターは、左右両側部に形成した前記台紙の幅と同一若しくは台紙の幅よりも大きい内寸法の左右の折り返し部と、上下方向の一方に形成した上下方向の一方に向かって形成した第1爪部と、上下方向の他方に向かって形成した第２爪部を有し、前記台紙は、前記ブリスターの第1爪部挿入する第１切り込み部、若しくは第１孔部と、前記ブリスターの第２爪部を挿入する第２切り込み部、若しくは第２孔部を有し、更に前記第１切り込み部、若しくは第１孔部は前記第１爪部の基部との第１突き当て部を有し、前記第２切り込み部、若しくは第２孔部は前記第２爪部の基部との第２突き当て部を有すると共に、台紙の前記第１突き当て部と、ブリスターの前記第１爪部の基部を突き当てた状態において、上下方向が前記第２突き当て部の位置で、横方向が前記第２切り込み部、若しくは第２孔部の左右端部の位置を基点とした第２爪部への接線と水平線との成す角度が４５度よりも小さい事を特徴とする。
【００１５】
更に、前記台紙は上部若しくは下部の何れか一方の端部に値札等の貼り付け部を有し、前記ブリスターは前記台紙の一方の端部に設けた値札等の貼り付け部に対向する位置にカット部を形成すると共に、前記カット部に前記第２爪部を形成すると良い。
【発明の効果】
【００１６】
上記のように本発明のブリスターの台紙固定構造はホッチキス等の金属締結具を使用しないで確実に台紙と固定する事が出来、ブリスターと台紙の組み立て作業も楽であり、上下方向のガタツキも全く生じ無いものである。又、更に値札等のシールを台紙に直接貼付け可能な構造に本発明を応用する事により、相乗的にパッケージのリサイクル性が高まるものである。
【発明を実施するための最良の形態】
【００１７】
以下、図面を参照しつつ、本発明の実施の形態について説明する。
【実施例１】
【００１８】
本発明のブリスターの台紙固定構造の第１の実施例においては、図１〜３に示す様に、台紙１と、前記台紙１に被せて前記台紙１との間に商品を保持するためのブリスター２より成り、前記ブリスター２は左右両側部に形成した前記台紙の幅よりも若干大きい内寸法の左右の折り返し部３と、下方の端部に形成した台紙１の下方向への移動を規制する下方の折り返し部４と、下方に向かって形成した爪部５を有し、前記台紙１は前記ブリスター２の爪部５を挿入する切り込み部６を形成し、更に前記切り込み部６は前記爪部５の付け根部５１ａ、５１ｂとの突き当て部６１ａ、６１ｂを夫々有する。
【００１９】
又、この第１の実施例において、台紙１にブリスター２を固定する際には、  まずブリスター２の上方側から台紙１を挿入し、台紙１の下端がブリスター２の下端に形成された折返し部４の内側に突き当たり、台紙１の左右端部がブリスター２の各折り返し部３内に保持される状態で、前記爪部５の付け根付近の縦断面図は図４示す状態となり、前記爪部５の付け根部５１ａ、５１ｂのすぐ上の部分をブリスター側から台紙側に向かって指などで押す事により、押した部分の、ブリスター２及び台紙１が撓み、台紙１に設けた切り込み部６が、図５に示す様に開口部９を形成し、前記ブリスター２の爪部５の先端が上記開口部９を乗り越えた時点で、図６に示す様に、前記爪部５が、台紙１の切り込み部６を通って、台紙側に露出する状態となる。
【００２０】
したがって、特殊な工具や部品無しで、台紙１とブリスター２は上下方向において殆どガタツキ無く、しっかり固定する事が出来るが、上記組み立て時の台紙１の開口部９は、切り込み部６の左右夫々の端部６ａ、６ｂに近づくにつれて小さくなり、又、切り込み部６の端部から爪部５までの距離が長い方が開口部９は大きくなり、更に、上記突き当て部６１から、突出する爪部５の長さが長くなる程、組み立て時に大きな開口部９が必要になるため、良好な作業性を得るためには、台紙１を前記下方の折り返し部４に当接させた状態において、上下方向が前記突き当て部６１ａ、６１ｂの位置で、横方向が前記切り込み部６の左右端部６ａ、６ｂの位置を基点とした爪部５への接線７ａ、７ｂと水平線８との成す角度ａ、ｂが夫々４５度よりも小さくなる様に構成する必要がある。尚、前記角度ａ、ｂは夫々３０度以下であると更に組み立て作業性が良くなる。又、前記切り込み部６の形状・大きさと、前記爪部５の形状・大きさは、図７、図８に示す様に変形しても良く、又、前記爪部５をテープで台紙に留めても良い。
【００２１】
尚、図９は、台紙1の前記切り込み部６の代わりに孔部１０を用いた変形例であり、この場合においては、上下方向が左右夫々の突き当て部１１ａ、１１ｂの位置で、横方向が孔部１０の左右端部１０ａ、１０ｂの位置を基点にした爪部５への接線７ａ、７ｂと水平線との成す角度が４５度よりも小さくなる様に構成する。尚、本発明において、台紙１とブリスター２の上下方向の向きに関しては、実施例と全てを逆に構成しても良く、又、爪部５の位置は、実施例に限定されない。
【００２２】
本発明のブリスターの台紙固定構造の第２の実施例においては、図１０、図１１に示す様に、台紙１と、前記台紙１に被せて前記台紙１との間に商品を保持するためのブリスター２より成り、前記ブリスター２は左右両側部に形成した前記台紙の幅よりも若干大きい内寸法の左右の折り返し部３と、下端部に下方に向かって形成した第1爪部１２と、上方に向かって形成した第２爪部１３を有し、前記台紙１は、前記ブリスター２の第1爪部１２を挿入する第１切り込み部１４と、前記ブリスター２の第２爪部１３を挿入する第２切り込み部１５を有し、更に前記第１切り込み部１４は前記第１爪部１２の付け根部１６ａ、１６ｂとの第１突き当て部１７ａ、１７ｂを有し、前記第２切り込み部１４は前記第２爪部１３の付け根部１８ａ、１８ｂとの第２突き当て部１９ａ、１９ｂを夫々有する。
【００２３】
この第２の実施例において、台紙１にブリスター２を固定する際には、  まずブリスター２の下方側より、台紙１を挿入し、台紙１の第１切り込み部１４の第１突き当て部１７ａ、１７ｂにブリスター２の前記第１爪部１２の基部１６ａ、１６ｂを突き当てた状態で、台紙１の左右端部がブリスター２の各折り返し部３の内側に保持される状態となり、前記第２爪部１３は、前記第１実施例と同様に、前記第２爪部１３の付け根部１８ａ、１８ｂのすぐ下の部分をブリスター２側から台紙側に向かって指などで押す事により、押した部分の、ブリスター２及び台紙１が撓み、台紙１に設けた第２切り込み部１５が開口部を形成し、ブリスター２の第２爪部１３の先端が上記開口部を乗り越えた時点で、前記第２爪部１３が、第２切り込み部１５を通って、台紙側に露出する状態となる。
【００２４】
上記の通り、特殊な工具や部品無しで、台紙１とブリスター２は、上下方向において殆どガタツキ無く、しっかり固定されるが、上記組み立て時の台紙１の開口部は、第２切り込み部１５の左右夫々の端部１５ａ、１５ｂに近づくにつれて小さくなり、又、第２切り込み部１５の端部１５ａ、１５ｂから第２爪部１３までの距離が長い方が必要な開口部寸法は大きくなり、更に、上記突き当て部から、突出する第２爪部１３の長さが長くなる程、組み立て時に大きな開口が必要になるため、良好な作業性を得るためには、台紙１の第１切リ込み部１４の第１突き当て部１７ａ、１７ｂにブリスター２の前記第１爪部１２の基部１２ａ、１２ｂを突き当てた状態において、上下方向が前記第２の突き当て部１９ａ、１９ｂの位置で、横方向が前記第２の切り込み部１４の左右端部１４ａ、１４ｂの位置を基点とした第２爪部１３への接線２０ａ、２０ｂと水平線８との成す角度ａ、ｂを４５度よりも小さくする必要がある。尚、前記角度ａ、ｂは夫々３０度以下であると更に組み立て作業性が良くなる。又、台紙１とブリスター２の上下方向の向きに関しては、実施例と全てを逆に構成しても良く、又、第１爪部１２、第２爪部１３等の位置は、実施例に限定されない。又、前記第１爪部１２、又は、及び、第２爪部１３をテープで台紙に留めても良い。
【００２５】
更に、第１実施例の９図に示す変形例と同様に、第２実施例においても、台紙１の前記第１切り込み部１４及び、又は第２切り込み部１５の代わりに孔部（図示せず）を用いる事ができる。
【００２６】
本発明のブリスターの台紙固定構造の第３の実施例においては、図１２〜図１４に示す様に、台紙１と、前記台紙１に被せて前記台紙１との間に商品を保持するためのブリスター２より成り、前記ブリスター２は前記台紙１の上方の端部に設けた値札等の貼り付け部２１に対向する位置にカット部２２を形成すると共に、左右両側部に形成した前記台紙１の幅よりも若干大きい内寸法の左右の折り返し部３と、下端部に下方に向かって形成した第1爪部１２と、前記カット部２２の位置に上方に向かって形成した第２爪部１３を有し、前記台紙１は、前記ブリスター２の第1爪部１２を挿入する第１切り込み部１４と、前記ブリスターの第２爪部１３を挿入する第２切り込み部１５を有し、更に前記第１切り込み部１４は前記第１爪部１２の付け根部１６ａ、１６ｂとの第１突き当て部１７ａ、１７ｂを有し、前記第２切り込み部１５は前記第２爪部１３の付け根部１８ａ、１８ｂとの第２突き当て部１９ａ、１９ｂを有する。
【００２７】
この第３の実施例において、台紙１にブリスター２を固定する際には、  まずブリスター２の下方側より、台紙１を挿入し、台紙１の第１切り込み部１４の突き当て部１７ａ、１７ｂにブリスター２の前記第１爪部１２の付け根部１６ａ、１６ｂを突き当てた状態で、台紙１の左右端部がブリスター２の各折り返し部内に保持される状態となり、前記第２爪部１３は、第１実施例、第２実施例と同様に、前記第２爪部１３の付け根部１８ａ、１８ｂのすぐ下の部分をブリスター側から台紙側に向かって指などで押す事により、押した部分の、ブリスター２及び台紙１が撓み、台紙１に設けた第２切り込み部１５が開口し、ブリスター２の第２爪部１３の先端が上記開口部を乗り越えた時点で、前記第２爪部１３が、台紙１の第２切り込み部１５を通って、台紙側に露出する状態となる。
【００２８】
本発明は上記の通り、特殊な工具や部品無しで、台紙１とブリスター２が、上下方向において殆どガタツキ無く、しっかり固定され、リサイクルする際にも値札等のシールが台紙1の貼付け部２１に貼り付けられるため、ブリスターから、シールは剥がす必要がなく、非常に効率良く台紙1とブリスター２を分別する事が出来る効果がある。
【００２９】
上記組み立て時の台紙１の開口は、第２切り込み部１５の左右端部に近づくにつれて小さくなり、又、前記第２切り込み部１５の端部１５ａ、１５ｂから第２爪部１３までの距離が長い方が開口は大きくなり、更に、上記第２突き当て部１９ａ、１９ｂから、突出する第２爪部１３の長さが長くなる程、組み立て時に大きな開口が必要になるため、台紙１の第１切り込み部１５の第１突き当て部１７ａ、１７ｂにブリスター２の前記第１爪部１２の付け根部１６ａ、１６ｂを突き当てた状態において、上下方向が前記第２突き当て部１９ａ、１９ｂの位置で、横方向が前記第２切り込み部１５の左右端部の位置を基点とした第２爪部１３への接線２０ａ、２０ｂと水平線８との成す角度が夫々４５度よりも小さくなる様に構成する事により、前記第２切り込み部の形状・大きさと、前記第２爪部の形状・大きさがどのように変形しても、組み立て上の支障が無い、台紙の切り込み部と、ブリスターの爪部を設定する事が出来る。更に、前記角度ａ、ｂは夫々３０度以下であると更に組み立て作業性が良くなる。更に、第３実施例においては、ブリスターの前記カット部を除く、上端部に台紙の上方向への移動を規制する上方の折り返し部を設けているので、第２の爪部が左右にオフセットしているにも拘わらず、台紙の上方においてブリスターが外れ難くなる効果があり、又、台紙１とブリスター２の上下方向の向きに関しては、実施例と全てを逆に構成しても良く、又、第１爪部１２、第２爪部１３、等の位置は、実施例に限定されない。又、前記第１爪部１２、又は、及び、第２爪部１３をテープで台紙に留めても良い。
【００３０】
更に、第１実施例の９図に示す変形例と同様に、第３実施例においても、台紙１の前記第１切り込み部１４及び、又は第２切り込み部１５の代わりに孔部（図示せず）を用いる事ができる。
【図面の簡単な説明】
【００３１】
【図１】本発明の第１の実施例のブリスターと台紙を示す斜視図である。
【図２】本発明の第１の実施例の組み立て状態を示す斜視図である。
【図３】本発明の第１の実施例の組み立て状態を示す要部拡大図である。
【図４】本発明の第１の実施例の参考ＡＡ断面である。
【図５】本発明の第１の実施例の参考ＡＡ断面である。
【図６】本発明の第１の実施例の参考ＡＡ断面である。
【図７】本発明の第１の実施例の変形例を示すブリスターと台紙の参考要部拡大図である。
【図８】本発明の第１の実施例の変形例を示す組み立て状態の参考要部拡大図である。
【図９】本発明の第１の実施例の変形例を示す組み立て状態の参考要部拡大図である。
【図１０】本発明の第２の実施例のブリスターと台紙を示す斜視図である。
【図１１】本発明の第２の実施例の組み立て状態を示す斜視図である。
【図１２】本発明の第３の実施例のブリスターと台紙を示す斜視図である。
【図１３】本発明の第３の実施例の組み立て状態（裏面）を示す斜視図である。
【図１４】本発明の第３の実施例の組み立て状態（表面）を示す斜視図である。
【図１５】従来技術１の組み立て状態を示す斜視図である。
【図１６】従来技術２のブリスターと台紙を示す斜視図である。
【図１７】従来技術２の組み立て状態を示す斜視図である。
【図１８】従来技術３のブリスターと台紙を示す斜視図である。
【図１９】従来技術３の組み立て状態を示す斜視図である。
【図２０】従来技術４の組み立て状態を示す斜視図である。
【符号の説明】
【００３２】
１      台紙
２      ブリスター
３      左右の折り返し部
４      折り返し部
５      爪部
６      切り込み部
７ａ    接線
７ｂ    接線
８      水平線
９      開口部
１０    孔部  
１０ａ  端部  
１０ｂ  端部
１１ａ  突き当て部
１１ｂ  突き当て部
１２    第１爪部
１３    第２爪部
１４    第１切り込み部
１５    第２切り込み部
１６ａ  付け根部
１６ｂ  付け根部
１７ａ  第１突き当て部
１７ｂ  第１突き当て部
１８ａ  付け根部
１８ｂ  付け根部
１９ａ  第２突き当て部
１９b  第２突き当て部
２０ａ  接線
２０ｂ  接線
２１    貼り付け部
２２    カット部  
３０    折り返し部  
３１    ホッチキス等
３２    爪
３３    孔
３４    爪
３５    付け根部
３６    段差部  
３７    孔
３８    突起
３９    孔
５１ａ  付け根部
５１ｂ  付け根部
６１ａ  突き当て部
６１ｂ  突き当て部
【図１】
2006225006.tif 000003
【図２】
2006225006.tif 000004
【図３】
2006225006.tif 000005
【図４】
2006225006.tif 000006
【図５】
2006225006.tif 000007
【図６】
2006225006.tif 000008
【図７】
2006225006.tif 000009
【図８】
2006225006.tif 000010
【図９】
2006225006.tif 000011
【図１０】
2006225006.tif 000012
【図１１】
2006225006.tif 000013
【図１２】
2006225006.tif 000014
【図１３】
2006225006.tif 000015
【図１４】
2006225006.tif 000016
【図１５】
2006225006.tif 000017
【図１６】
2006225006.tif 000018
【図１７】
2006225006.tif 000019
【図１８】
2006225006.tif 000020
【図１９】
2006225006.tif 000021
【図２０】
2006225006.tif 000022